(57)【要約】【課題】複数のチャネルの音響出力の際に，各チャネル間の振動の干渉による音質低下を減少させた平板音響出力装置を提供すること。【解決手段】平板音響出力装置３０において，チャネル別に区画された複数のチャネル領域３１Ｒ，３１Ｌと，上記チャネル領域での振動が相互干渉しないように，上記チャネル領域相互間を区画する区画領域３１Ｄと，が形成された平板パネル３１と，上記平板パネルの上記チャネル領域に設置され，チャネル別音響信号に基づいて上記チャネル領域でチャネルの音響が発生するように，上記チャネル領域を振動させる複数の振動発生部３２Ｒ，３２Ｌと，を含むことを特徴とする，平板音響出力装置が提供される。【選択図】図４
2006121708.tif 000002
【特許請求の範囲】
【請求項１】
チャネル別に区画された複数のチャネル領域と，前記各チャネル領域での振動が相互干渉しないように，前記各チャネル領域間を区画する区画領域と，が形成された平板パネルと；
前記平板パネルの前記各チャネル領域に設置され，チャネル別音響信号に基づいて前記各チャネル領域で該当チャネルの音響が発生するように，前記各チャネル領域を振動させる複数の振動発生部と；
を備えることを特徴とする，平板音響出力装置。
【請求項２】
前記区画領域は，前記チャネル領域と相異なる振動係数を有することを特徴とする，請求項１に記載の平板音響出力装置。
【請求項３】
前記区画領域には，前記区画領域が前記チャネル領域と相異なる振動係数を有するようにする硬化剤が添加されたことを特徴とする，請求項１または２に記載の平板音響出力装置。
【請求項４】
前記区画領域に設けられた透明伝導体と；
前記区画領域が，前記チャネル領域と相異なる振動係数を有するように，前記透明伝導体に電力を供給する供給部と；
をさらに備えることを特徴とする，請求項１〜３のいずれかに記載の平板音響出力装置。
【請求項５】
前記各チャネル領域での振動が相互干渉しないように，前記区画領域に超音波を出力する超音波発生部をさらに備えることを特徴とする，請求項１〜４のいずれかに記載の平板音響出力装置。
【請求項６】
映像が表示される平板ディスプレイモジュールと；
前記平板ディスプレイモジュールと対向配置され，チャネル別に区画された複数のチャネル領域と，前記各チャネル領域での振動が相互干渉しないように，前記各チャネル領域間を区画する区画領域と，が形成された平板パネルと；
前記平板パネルの前記各チャネル領域に設置され，チャネル別音響信号に基づいて前記各チャネル領域で該当チャネルの音響が発生するように，前記各チャネル領域を振動させる複数の振動発生部と；
を備えることを特徴とする，映像音響出力装置。
【請求項７】
前記区画領域は，前記チャネル領域と相異なる振動係数を有することを特徴とする，請求項６に記載の映像音響出力装置。
【請求項８】
前記区画領域には，前記区画領域が前記チャネル領域と相異なる振動係数を有するようにする硬化剤が添加されたことを特徴とする，請求項６または７に記載の映像音響出力装置。
【請求項９】
前記区画領域に設けられた透明伝導体と；
前記区画領域が，前記チャネル領域と相異なる振動係数を有するように，前記透明伝導体に電力を供給する供給部と；
をさらに備えることを特徴とする，請求項６〜８のいずれかに記載の映像音響出力装置。
【請求項１０】
前記各チャネル領域での振動が相互干渉しないように，前記区画領域に超音波を出力する超音波発生部をさらに備えることを特徴とする，請求項６〜９のいずれかに記載の映像音響出力装置。
【請求項１１】
前記平板ディスプレイモジュールと前記平板パネルとの間に介在される緩衝部材をさらに備えることを特徴とする，請求項６〜１０のいずれかに記載の映像音響出力装置。
【請求項１２】
音響を出力する平板音響出力装置に使用される平板パネルの製造方法において：
２以上の透明パネルのうちの少なくともいずれか一つに，前記平板パネルが２以上の領域に区画されるように硬化剤を添加する段階と；
前記２以上の透明パネルを積層して加熱圧着させる段階と；
を含むことを特徴とする，平板パネルの製造方法。
【請求項１３】
前記平板パネルの前記硬化剤が添加された領域と，前記硬化剤が添加されない領域とは，相異なる振動係数を有することを特徴とする，請求項１２に記載の平板パネルの製造方法。
【発明の詳細な説明】
【技術分野】
【０００１】
本発明は，平板音響出力装置，映像音響出力装置および平板パネルの製造方法に関する。
【背景技術】
【０００２】
一般に，音響を出力するスピーカーはコーン型（Ｃｏｎｅ−Ｔｙｐｅ）スピーカーが広く使用されてきた。コーン型スピーカーは，紙製，プラスチック製またはアルミニウム製などのコーンと，コーンの周縁を取り囲む柔軟性を有するサラウンド（Ｓｕｒｒｏｕｎｄ）と，コーンの頂部付近でコーンを取り囲み，かつ円周方向に溝の設けられたスパイダー（Ｓｐｉｄｅｒ）とを通じて，音響を出力する。
【０００３】
近年，平板パネル（Ｆｌａｔ  ｐａｎｅｌ）によって音響を出力する平板音響出力装置が開発されている。ここで，平板音響出力装置とは，電気的信号を機械的振動に変換する励振器（Ｅｘｃｉｔｅｒ）によって平板パネルを振動（すなわち，「励振」，以下同じ）させることによって，音響を出力する装置を意味する。
【０００４】
一般に，平板音響出力装置は，音響を出力する平板パネルと，平板パネルに設置されて平板パネルを振動させる励振器とを含む。
【０００５】
また，平板音響出力装置は，２チャネルの音響，つまりステレオ（Ｓｔｅｒｅｏ）を実現するために，各チャネルに該当する２つの励振器を一つの平板パネルに設置する。各励振器は，当該チャネルの電気的音響信号によって平板パネルを振動させる。平板パネルは，各チャネルの励振器によって振動して当該チャネルの音響を出力する。
【発明の開示】
【発明が解決しようとする課題】
【０００６】
しかし，このような従来の平板音響出力装置では，一つの平板パネルに各チャネルの励振器が設置され，各チャネルの励振器が平板パネルを振動させるため，各チャネルの励振器による振動間の相互干渉（Ｉｎｔｅｒｆｅｒｅｎｃｅ）が発生するおそれがある。
【０００７】
図１は，従来の平板音響出力装置の構成を示す図面であり，従来の平板音響出力装置１００で発生する２チャネルによる振動間の相互干渉を説明するための図面である。ここで，平板パネル１１０上の‘△’は，左側励振器１２０ａによる振動によって発生する音響の位置を示し，‘×’は，右側励振器１２０ｂによる振動によって発生する音響の位置を示す。
【０００８】
ここで，各励振器による平板パネル１１０の振動によって平板パネル１１０上で発生する音響の位置は，平板パネル１１０上に分散（Ｄｉｓｔｒｉｂｕｔｉｏｎ）されることが分かる。したがって，各励振器１２０ａ，１２０ｂによって発生する振動間には，相互干渉する領域（Ａ）が発生する。
【０００９】
このようなチャネル間の振動の干渉は，平板音響出力装置１００を通じて出力される音響の音質を低下させる原因となるため，チャネル間の振動の干渉現象を除去できる平板音響出力装置の開発が要求されている。
【００１０】
そこで，本発明は，上記問題に鑑みてなされたものであり，本発明の目的とするところは，複数のチャネルの音響を出力する際に，各チャネル間の振動の干渉による音質低下を減少させることが可能な，新規かつ改良された平板音響出力装置，映像音響出力装置および平板パネルの製造方法を提供することにある。
【課題を解決するための手段】
【００１１】
上記課題を解決するために，本発明のある観点によれば，チャネル別に区画された複数のチャネル領域と，上記各チャネル領域での振動が相互干渉しないように，上記各チャネル領域間を区画する区画領域と，が形成された平板パネルと；上記平板パネルの上記各チャネル領域に設置され，チャネル別音響信号に基づいて上記各チャネル領域で該当チャネルの音響が発生するように，上記各チャネル領域を振動させる複数の振動発生部と；を含むことを特徴とする，平板音響出力装置が提供される。かかる構成により，区画領域は，一のチャネル領域で発生した振動が，他のチャネル領域に伝達することを防止することができる。したがって，複数のチャネルの音響を出力する際に，各チャネル間の振動の干渉による音質低下を減少させることができる。
【００１２】
上記区画領域は，上記チャネル領域と相異なる振動係数を有することを特徴とすることができる。かかる構成において，区画領域は，一のチャネル領域で発生した振動が，他のチャネル領域に伝達することを防止する。
【００１３】
上記区画領域には，上記区画領域が上記チャネル領域と相異なる振動係数を有するようにする硬化剤が添加されたことを特徴とすることができる。かかる構成により，区画領域を簡単に，かつ低コストで設けることができる。
【００１４】
上記区画領域に設けられた透明伝導体と；上記区画領域が，上記チャネル領域と相異なる振動係数を有するように，上記透明伝導体に電力を供給する供給部と；をさらに備えることを特徴とすることができる。かかる構成において，供給部から透明伝導体に電力が供給されると，透明伝導体の電気的特性が変わるとともに，透明伝導体の振動係数が変わる。したがって，区画領域は，一のチャネル領域で発生した振動が，他のチャネル領域に伝達することを防止することができる。
【００１５】
上記各チャネル領域での振動が相互干渉しないように，上記区画領域に超音波を出力する超音波発生部をさらに備えることを特徴とすることができる。かかる構成より，区画領域は，超音波の振動によって，チャネル領域と異なる振動係数を有することとなる。したがって，一のチャネル領域で発生した振動が，他のチャネル領域に伝達することを防止することができる。
【００１６】
また，上記課題を解決するために，本発明の別の観点によれば，映像音響出力装置において：映像が表示される平板ディスプレイモジュールと；上記平板ディスプレイモジュールと対向配置され，チャネル別に区画された複数のチャネル領域と，上記各チャネル領域での振動が相互干渉しないように，上記各チャネル領域間を区画する区画領域と，が形成された平板パネルと；上記平板パネルの上記各チャネル領域に設置され，チャネル別音響信号に基づいて上記各チャネル領域で該当チャネルの音響が発生するように，上記各チャネル領域を振動させる複数の振動発生部と；を備えることを特徴とする，映像音響出力装置が提供される。かかる構成により，区画領域は，一のチャネル領域で発生した振動が，他のチャネル領域に伝達することを防止することができる。したがって，複数のチャネルの音響を出力する際に，各チャネル間の振動の干渉による音質低下を減少させることができる。
【００１７】
上記区画領域は，上記チャネル領域と相異なる振動係数を有することを特徴とすることができる。かかる構成において，区画領域は，一のチャネル領域で発生した振動が，他のチャネル領域に伝達することを防止する。
【００１８】
上記区画領域には，上記区画領域が上記チャネル領域と相異なる振動係数を有するようにする硬化剤が添加されたことを特徴とすることができる。かかる構成により，区画領域を簡単に，かつ低コストで設けることができる。
【００１９】
上記区画領域に設けられた透明伝導体と；上記区画領域が，上記チャネル領域と相異なる振動係数を有するように，上記透明伝導体に電力を供給する供給部と；をさらに備えることを特徴とすることができる。かかる構成により，供給部から透明伝導体に電力が供給されると，透明伝導体の電気的特性が変わるとともに，透明伝導体の振動係数が変わる。したがって，区画領域は，一のチャネル領域で発生した振動が，他のチャネル領域に伝達することを防止することができる。
【００２０】
上記各チャネル領域での振動が相互干渉しないように，上記区画領域に超音波を出力する超音波発生部をさらに備えることを特徴とすることができる。かかる構成より，区画領域は，超音波の振動によって，チャネル領域と異なる振動係数を有することとなる。したがって，一のチャネル領域で発生した振動が，他のチャネル領域に伝達することを防止することができる。
【００２１】
上記平板ディスプレイモジュールと上記平板パネルとの間に介在される緩衝部材をさらに備えることを特徴とする。かかる構成により，平板パネルに生じた振動が隣接する平板ディスプレイモジュールに伝達されることを防止することができる。
【００２２】
また，上記課題を解決するために，本発明の別の観点によれば，音響を出力する平板音響出力装置に使用される平板パネルの製造方法において：２以上の透明パネルのうちの少なくともいずれか一つに，上記平板パネルが２以上の領域に区画されるように硬化剤を添加する段階と；上記２以上の透明パネルを積層して加熱圧着させる段階と；を含むことを特徴とする，平板パネルの製造方法が提供される。
【００２３】
上記平板パネルの上記硬化剤が添加された領域と，上記硬化剤が添加されない領域とは，相異なる振動係数を有することを特徴とすることができる。
【発明の効果】
【００２４】
以上説明したように本発明によれば，複数のチャネルの音響を出力する際に，各チャネル間の振動の干渉による音質低下を減少させた平板音響出力装置，映像音響出力装置および平板パネルの製造方法を提供することができる。
【発明を実施するための最良の形態】
【００２５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２６】
（第１の実施形態）
図２は，本発明の第１の実施形態にかかる映像音響出力装置の構成を示す図面であり，映像音響出力装置１を説明するための図面である。図２に示したように，本実施形態にかかる映像音響出力装置１は，平板ディスプレイモジュール１０と平板音響出力装置３０と，を含む。また，平板ディスプレイモジュール１０と平板パネル３１との間に介在される緩衝部材２０と，を含むことができる。
【００２７】
ここで，本実施形態にかかる映像音響出力装置１は，たとえば２チャネルの音響出力，つまり，ステレオ音響を出力する一例を挙げて説明する。なお，本発明を説明する際に，「平板」とは，相対的な意味として使用されるため，完全な平面を有する板状部材に限定されるものではない。
【００２８】
平板ディスプレイモジュール１０は，映像処理プロセスを経て入力される映像信号に基づいてイメージを表示する。本実施形態にかかる平板ディスプレイモジュール１０は，ＬＣＤ（Ｌｉｑｕｉｄ  Ｃｒｙｓｔａｌ  Ｄｉｓｐｌａｙ）モジュール，ＰＤＰ（Ｐｌａｓｍａ  Ｄｉｓｐｌａｙ  Ｐａｎｅｌ）モジュール，有機ＥＬ（Ｅｌｅｃｔｒｏ−ｌｕｍｉｎｅｓｃｅｎｃｅ）モジュールなどのような多様な類型のいずれか一つとすることができる。
【００２９】
本実施形態にかかる平板音響出力装置３０は，平板パネル３１と，励振器３２Ｒ，３２Ｌと，を含む。
【００３０】
平板パネル３１は，励振器３２Ｒ，３２Ｌによって振動して音響を出力する。本実施形態にかかる平板パネル３１は，第１チャネルの音響を出力するための第１チャネル領域３１Ｒと，第２チャネルの音響を出力するための第２チャネル領域３１Ｌと，第１チャネル領域３１Ｒと第２チャネル領域３１Ｌを区画する区画領域３１Ｄと，を含む。
【００３１】
ここで，第１チャネル領域３１Ｒと第２チャネル領域３１Ｌは，それぞれステレオ音響のうちの左側音響と右側音響を出力する。
【００３２】
区画領域３１Ｄは，第１チャネル領域３１Ｒと第２チャネル領域３１Ｌを区画し，第１チャネル領域３１Ｒと第２チャネル領域３１Ｌでの振動が相互干渉しないようにする。これによって，第１チャネル領域３１Ｒと第２チャネル領域３１Ｌでの振動が相互干渉を受けることがなくなる。さらに，第１チャネルの音響と第２チャネルの音響がそれぞれ独立的に出力されることとなり，向上された音質の多チャネル音響，たとえば，本実施形態では，ステレオ音響を出力することができるようになる。なお，区画領域３１Ｄを形成する様々な実施形態については以下に説明する。
【００３３】
第１チャネル領域３１Ｒと第２チャネル領域３１Ｌには，図２に示すように，それぞれ一つずつの励振器３２Ｒ，３２Ｌが設置される。ここで，第１チャネル領域３１Ｒに設置された励振器を第１励振器３２Ｒと，第２チャネル領域３１Ｌに設置された励振器を第２励振器３２Ｌと定義して説明する。なお，第１チャネル領域３１Ｒおよび第２チャネル領域３１Ｌには，２以上の励振器を設置することもできる。
【００３４】
第１励振器３２Ｒは，図３に示すように，音響信号出力部５０から出力され，第１チャネルアンプ４０Ｒを経ながら，増幅された第１チャネルのアナログ音響信号に基づいて，平板パネル３１の第１チャネル領域３１Ｒを振動させる。すなわち，第１チャネル領域３１Ｒでは，第１励振器３２Ｒによる振動を通じて第１チャネルの音響が出力される。
【００３５】
また，第２励振器３２Ｌは，音響信号出力部５０から出力され，第２チャネルアンプ４０Ｌを経ながら増幅された第２チャネルのアナログ音響信号に基づいて，平板パネル３１の第２チャネル領域３１Ｌを振動させる。すなわち，第２チャネル領域３１Ｌでは，第２励振器による振動を通じて第２チャネルの音響が出力される。
【００３６】
ここで，音響信号出力部５０が，第１チャネルアンプ４０Ｒおよび第２チャネルアンプ４０Ｌに，おのおの第１チャネルおよび第２チャネルの音響信号を出力することができれば，音響信号出力部５０は，様々な実施形態に使用されることができる。たとえば，本実施形態にかかる平板音響出力装置３０が携帯用コンピュータに適用される場合，音響信号出力部５０は，データ再生部と，Ｄ／Ａコンバータと，を含むことができる。ここで，データ再生部とは，ＣＤまたはＤＶＤやハードディスクドライブに保存された音楽ファイルなどの音響データを再生し，デジタル音響信号を出力するデータ再生部をいい，たとえば，ＣＤドライブ，ＤＶＤドライブなどの光ディスクドライブ，または再生プログラムをいう。また，Ｄ／Ａコンバータとは，再生プロセスを経て再生されたデジタル音響信号を，第１チャネルおよび第２チャネルのアナログ音響信号に変換し，第１チャネルアンプ４０Ｒおよび第２チャネルアンプ４０Ｌに出力するＤ／Ａコンバータをいう。
【００３７】
図４は，本実施形態にかかる平板音響出力装置の構成を示す図面であり，平板音響出力装置３０の平板パネル３１の構成を示す図面である。図面に示すように，本実施形態にかかる平板パネル３１は，第１チャネル領域３１Ｒ，第２チャネル領域３１Ｌ，および区画領域３１Ｄを含む。
【００３８】
ここで，区画領域３１Ｄは，第１チャネル領域３１Ｒおよび第２チャネル領域３１Ｌとは相異なる振動係数を有するとすることができる。これにより，第１励振器３２Ｒおよび第２励振器３２Ｌによる振動が，おのおの第２チャネル領域３１Ｌおよび第１チャネル領域３１Ｒに伝達されて，干渉することを防止することができる。
【００３９】
本実施形態にかかる区画領域３１Ｄには，区画領域３１Ｄが第１チャネル領域３１Ｒおよび第２チャネル領域３１Ｌと相異なる振動係数を有するように硬化剤（Ｈ，図７参照）が添加される。ここで，硬化剤（Ｈ）については，平板パネル３１の区画領域３１Ｄが，第１チャネル領域３１Ｒおよび第２チャネル領域３１Ｌと相異なる振動係数を有することができれば，平板パネル３１の材料に応じて様々な実施形態で適用されることが可能である。たとえば，平板パネル３１が透明アクリルで製作される場合，硬化剤（Ｈ）としてエポキシ樹脂を使用することができる。ここで，エポキシ樹脂としてはアミン類やポリアミドを硬化剤（Ｈ）として使用することができる。
【００４０】
また，硬化剤（Ｈ）は，光透過性が平板パネル３１の光透過特性と同一の光透過特性を有することができる。光透過率がほぼ１００％であるものが使用されるとしてもよい。
【００４１】
これにより，第１励振器３２Ｒによる振動と第２励振器３２Ｌによる振動が区画領域３１Ｄで相殺され，第１チャネル領域３１Ｒと第２チャネル領域３１Ｌでは，おのおの第１励振器３２Ｒおよび第２励振器３２Ｌによる相互独立的な振動が発生する。したがって，第１チャネル領域３１Ｒと第２チャネル領域３１Ｌでは，相互独立的におのおの第１チャネルおよび第２チャネルの音響を出力することによって，より向上された音質の多チャネル音響が出力可能となる。
【００４２】
図５は，従来および本実施形態にかかる平板音響出力装置の振動特性を説明するための図面である。図５（ａ）は，従来の平板パネルに二つの励振器を設置し，それぞれの励振器が二つのチャネルの音響を出力する際の振動特性を測定した図面であり，図５（ｂ）は，本実施形態にかかる平板パネル３１に，上述したように第１励振器３２Ｒおよび第２励振器３２Ｌを設置し，第１チャネルおよび第２チャネルの音響を出力する際の振動特性を測定した図面である。
【００４３】
図５（ｂ）に示すように，本実施形態にかかる平板音響出力装置３０は区画領域３１Ｄによって，第１チャネル領域３１Ｒと第２チャネル領域３１Ｌでの振動が相互干渉していないことが分かる。
【００４４】
（第２の実施形態）
図６は，本発明の第２の実施形態にかかる平板音響出力装置の構成を示す図面であり，平板音響出力装置３０’の平板パネル３１’の構成を示す図面である。図面に示すように，本実施形態にかかる平板パネル３１’は，第１チャネル領域３１Ｒ，第２チャネル領域３１Ｌ，および区画領域３１Ｄを含む。ここで，本実施形態にかかる平板パネル３１’を説明する際に，第１の実施形態と同一の構成については，同一の参照符号を付し，その説明を省略する。
【００４５】
本実施形態にかかる平板音響出力装置３０’は，区画領域３１Ｄに設けられる透明伝導体３３と，透明伝導体３３に電力を供給する供給部３４と，をさらに含む。
【００４６】
ここで，透明伝導体３３に供給部３４から電力が供給されると，透明伝導体３３の電気的特性が変わるとともに，透明伝導体３３の振動係数（振動伝達特性）が変わる。すなわち，透明伝導体３３に電気的エネルギーを供給すると，伝導性物体である透明伝導体３３の物性が変化する。これにより，透明伝導体３３が設けられた区画領域３１Ｄの振動係数（振動伝達特性）が，第１チャネル領域３１Ｒおよび第２チャネル領域３１Ｌの振動係数（振動伝達特性）と異なるようになる。その結果，第１励振器３２Ｒによる振動と第２励振器３２Ｌによる振動が区画領域３１Ｄで相殺され，第１チャネル領域３１Ｒと第２チャネル領域３１Ｌでは，おのおの第１励振器３２Ｒおよび第２励振器３２Ｌによる相互独立的な振動が発生し，本実施形態についても第１の実施形態と同一の効果を得ることができる。
【００４７】
（第１の実施形態の製造方法）
図７は，本発明の第１の実施形態にかかる平板音響装置の平板パネル３１の製作方法を説明するための図面である。本実施形態にかかる平板パネル３１において，まず２以上の透明パネル３６のうちの少なくともいずれか一つの少なくとも一面側であって，区画領域３１Ｄを形成する部分に硬化剤（Ｈ）を塗布する。さらに，加熱されたローラＲ１，Ｒ２を通じて加熱圧着することによって，第１チャネル領域３１Ｒ，第２チャネル領域３１Ｌおよび区画領域３１Ｄが形成された平板パネル３１を製作することができる。
【００４８】
ここで，図７では，３枚の透明パネル３６を加熱圧着し，中間に介在される透明パネル３６に硬化剤（Ｈ）を添加することを一例としている。その他にも，２枚の透明パネル３６を備え，少なくともいずれか一つの透明パネル３６に硬化剤（Ｈ）を添加して平板パネル３１を製作することができる。また，４枚以上の透明パネル３６を備え，同様な方法で平板パネル３１を製作することもできる。
【００４９】
（第２の実施形態の製造方法）
本発明の第２の実施形態にかかる平板パネル３１’を製作する際には，図７に示す方法で硬化剤（Ｈ）が添加される部分に透明伝導体３３を挿入することによって，平板パネル３１’を製作することができる。
【００５０】
（第３の実施形態）
一方，本発明の第３の実施形態にかかる平板音響出力装置３０”は，図８に示すように，区画領域３１Ｄに超音波を出力する超音波発生部３５をさらに含むことができる。
【００５１】
ここで，平板パネル３１”の区画領域３１Ｄに超音波が出力されると，超音波によって区画領域３１Ｄで振動が発生する。すなわち，超音波の振動によって，区画領域３１Ｄの振動係数（振動伝達特性）が，第１チャネル領域３１Ｒおよび第２チャネル領域３１Ｌの振動係数（振動伝達特性）と異なるようになる。この時，第１励振器３２Ｒおよび第２励振器３２Ｌによる第１チャネル領域３１Ｒおよび第２チャネル領域３１Ｌでの振動は，超音波による区画領域３１Ｄでの振動によって相殺されるので，相互に干渉を起こさないようになる。これによって，第１チャネル領域３１Ｒと第２チャネル領域３１Ｌでは，相互独立的におのおの第１チャネルおよび第２チャネルの音響を出力するようになり，より向上された音質の多チャネル音響が出力可能となる。
【００５２】
以上に説明したように，チャネル別に区画される複数のチャネル領域と，各チャネル領域での振動が相互干渉しないように各チャネル領域間を区画する区画領域３１Ｄとが形成された平板パネル３１，３１’，３１”と，平板パネル３１，３１’，３１”の複数のチャネル領域にそれぞれ設置され，チャネル別音響信号に基づいて各チャネル領域で該当チャネルの音響が発生するように各チャネル領域を振動させる複数の励振器３２Ｒ，３２Ｌと，を備えることによって，複数のチャネルの音響を出力する際に各チャネル間の振動の干渉による音質低下を減少させるので，向上された音質の音響を提供することができる。
【００５３】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５４】
上述した実施形態では，平板音響出力装置３０，３０’，３０”が２チャネル，つまり，ステレオ音響を出力することを一例として説明した。その他にも，たとえば，本発明による平板音響出力装置３０，３０’，３０”の平板パネル３１，３１’，３１”には，３以上のチャネル領域が備えられ，各チャネル領域に該当チャネルの音響を出力するための励振器が設置されるとしてもよい。このとき，各チャネル領域での振動は，区画領域３１Ｄによって相互干渉しないとすることができる。
【００５５】
本明細書で使用された名称である映像音響出力装置１は，映像と，上述したような平板音響出力装置３０，３０’，３０”による音響とを出力する機器であれば，その名称に関わらず当然本発明の技術的思想に含まれる。たとえば，本発明のある実施形態にかかる映像音響出力装置１は，映像と音響を同時に出力できるモニター，ＴＶ，携帯用コンピュータ，携帯電話，ＰＤＡなどのような多様な機器に適用可能である。
【００５６】
本明細書では，平板パネル３１，３１’，３１”に振動を発生させる振動発生部として励振器３２Ｒ，３２Ｌが使用されることを一例として説明した。その他に，たとえば，音響信号出力部５０からの音響信号に平板パネル３１，３１’，３１”を振動させることができる振動発生部であれば，その名称を問わず当然本発明の技術的思想に含まれる。たとえば，ＰＺＴ（Ｐｉｅｚｏｅｌｅｃｔｒｉｃ）方式のアクチュエータ（Ａｃｔｕａｔｏｒ）のように平板パネル３１，３１’，３１”に振動を発生させて音響を出力できる多様なアクチュエータが適用できる。
【００５７】
本発明の実施形態にかかる平板パネル３１，３１’，３１”の区画領域３１Ｄは，上述した実施形態のうちのいずれか一つだけの実施形態によってでも形成されることができ，二つ以上の実施形態の組み合わせによってでも当然形成されることができる。
【産業上の利用可能性】
【００５８】
本発明は，平板音響出力装置，映像音響出力装置映像および平板パネルの製造方法に適用可能である。
【図面の簡単な説明】
【００５９】
【図１】従来の平板音響出力装置の構成を示す図面である。
【図２】本発明の第１の実施形態にかかる映像音響出力装置の構成を示す図面である。
【図３】同実施形態にかかる映像音響出力装置の構成を示す図面である。
【図４】同実施形態にかかる平板音響出力装置の構成を示す図面である。
【図５】従来および本実施形態にかかる平板音響出力装置の振動特性を説明するための図面である。
【図６】本発明の第２の実施形態にかかる平板音響出力装置の構成を示す図面である。
【図７】本発明の第１の実施形態にかかる平板音響出力装置の平板パネルの製造方法を説明するための図面である。
【図８】本発明の第３の実施形態にかかる平板音響出力装置の構成を示す図面である。
【符号の説明】
【００６０】
１      映像音響出力装置
１０      平板ディスプレイモジュール
２０      緩衝部材
３０，３０’，３０”，１００      平板音響出力装置
３１，３１’，３１”，１１０      平板パネル
３１Ｒ      第１チャネル領域
３１Ｌ      第２チャネル領域
３１Ｄ      区画領域
３２Ｒ      第１励振器
３２Ｌ      第２励振器
３３      透明伝導体
３４      供給部
３５      超音波発生部
３６      透明パネル
４０Ｒ      第１チャネルアンプ
４０Ｌ      第２チャネルアンプ
５０      音響信号出力部
１２０ａ，１２０ｂ      励振器
Ｈ      硬化剤
【図１】
2006121708.tif 000003
【図２】
2006121708.tif 000004
【図３】
2006121708.tif 000005
【図４】
2006121708.tif 000006
【図６】
2006121708.tif 000007
【図７】
2006121708.tif 000008
【図８】
2006121708.tif 000009
【図５】
2006121708.tif 000010